(57)【特許請求の範囲】
【請求項１】
着用者の胸周りを覆うバスト部を有する本体部と、
左右一対のカップが前中心側の連結部によって連結された一体成型のカップ体と、
前記バスト部において前記本体部の裏側に結合され、前記カップ体を着脱自在に収容する収容ポケットを前記本体部との間に形成する裏当部と、を備え、
前記裏当部の前中心部分には、上下方向に延びる開口部が設けられている、上半身衣類。
【請求項２】
前記開口部の上下方向の長さは、前記カップ体の前記連結部の上下幅よりも大きく、かつ前記カップの上下幅よりも小さくなっている、請求項１記載の上半身衣類。
【請求項３】
前記本体部と前記裏当部との結合ラインは、前記開口部の長手方向の両端部に向かって突出する突出部分を有している、請求項１又は２記載の上半身衣類。
【請求項４】
前記本体部と前記裏当部とは、前記結合ラインに沿って点在する接着部によって互いに結合されており、
前記接着部のうち、前記突出部分に位置する接着部の少なくとも一つは、前記開口部の長手方向に交差する方向に延在した形状となっている、請求項３記載の上半身衣類。
【発明の詳細な説明】
【技術分野】
【０００１】
本発明は、上半身衣類に関する。
【背景技術】
【０００２】
従来、ハーフトップ等の上半身衣類では、バストの整形や着用者の乳頭が透けてしまうことの防止などを目的として、カップを着脱自在に配置できるものがある。カップ及びカップが配置される収容ポケットの形状は多様である。例えばバスト部の両脇にそれぞれ設けた収容ポケットに左右のカップをそれぞれ配置するタイプのものや、特許文献１に記載のブラジャーのように、上方に開口する収容ポケットに左右一体のカップ体を配置するタイプのものが存在している。
【先行技術文献】
【特許文献】
【０００３】
【特許文献１】実開昭６３−８５６０６号公報
【発明の概要】
【発明が解決しようとする課題】
【０００４】
しかしながら、例えば特許文献１に記載のブラジャーでは、収容ポケットに対するカップ体の着脱容易性は確保できるものの、着用時のカップ体の位置が安定し難く、種々の動作の際にカップ体がバストからずれてしまうことが考えられる。このため、バストシルエットを整えるためには、着用後にカップ体の位置を手直しする必要があり、着用の際の煩わしさが生じる問題があった。
【０００５】
本発明は、上記課題の解決のためになされたものであり、着脱自在のカップ体を着用者のバストに対して安定して密着させることができる上半身衣類を提供することを目的とする。
【課題を解決するための手段】
【０００６】
本発明の一側面に係る上半身衣類は、着用者の胸周りを覆うバスト部を有する本体部と、左右一対のカップが前中心側の連結部によって連結された一体成型のカップ体と、バスト部において本体部の裏側に結合され、カップ体を着脱自在に収容する収容ポケットを本体部との間に形成する裏当部と、を備え、裏当部の前中心部分には、上下方向に延びる開口部が設けられている。
【０００７】
この上半身衣類では、左右一対のカップが前中心側の連結部によって連結された一体成型のカップ体が用いられている。また、カップ体が収容される収容ポケットを構成する裏当部には、前中心部分において上下方向に延びる開口部が設けられている。この開口部により、収容ポケットに対するカップ体の着脱が容易となる。また、上方に開口する収容ポケットを採用する場合とは異なり、収容ポケットに収容されたカップ体の位置ずれや回転を防ぐことが可能となる。したがって、着用後にカップ体の位置を手直しする必要もなく、着脱自在のカップ体を着用者のバストに対して安定して密着させることができる。
【０００８】
また、開口部の上下方向の長さは、カップ体の連結部の上下幅よりも大きく、かつカップの上下幅よりも小さくなっていてもよい。これにより、収容ポケットに対するカップ体の着脱容易性と、収容ポケット内でのカップ体の安定性とを好適に両立できる。
【０００９】
また、本体部と裏当部との結合ラインは、開口部の長手方向の両端部に向かって突出する突出部分を有していてもよい。開口部は、カップ体の着脱の際などに力がかかり易い部分である。これに対し、開口部の長手方向の両端部に本体部と裏当部との結合ラインを近接させることにより、開口部付近の耐久性を高めることができる。
【００１０】
また、本体部と裏当部とは、結合ラインに沿って点在する接着部によって互いに結合されており、接着部のうち、突出部分に位置する接着部の少なくとも一つは、開口部の長手方向に交差する方向に延在した形状となっていてもよい。これにより、開口部付近での本体部と裏当部との結合強度が十分に確保され、開口部付近の耐久性を更に高めることができる。
【発明の効果】
【００１１】
本発明によれば、着脱自在のカップ体を着用者のバストに対して安定して密着させることができる。
【図面の簡単な説明】
【００１２】
【図１】上半身衣類の一実施形態を示す正面図である。
【図２】図１に示した上半身衣類の背面図である。
【図３】上半身衣類に適用されるカップ体の一例を示す正面図である。
【図４】図１に示した上半身衣類を裏返して示す正面図である。
【図５】図４における要部拡大図である。
【図６】（ａ）（ｂ）は、裏当部に形成される開口部の変形例を示す図である。
【図７】（ａ）（ｂ）は、裏当部に形成される開口部の別の変形例を示す図である。
【図８】裏当部に形成される開口部の更に別の変形例を示す図である。
【発明を実施するための形態】
【００１３】
以下、図面を参照しながら、本発明の一側面に係る上半身衣類の好適な実施形態について詳細に説明する。なお、以下の説明では、便宜上、カップ部付き上半身衣類の着用状態を想定して「上」「下」等の用語を使用する。
【００１４】
図１は、上半身衣類の一実施形態を示す正面図である。また、図２は、その背面図である。図１及び図２に示す上半身衣類１は、例えばハーフトップとして構成されている。ハーフトップは、タンクトップと比較して丈が短く、着用者の腹部が露出するようになっている。上半身衣類１は、着用者のバスト周りの胴部を覆うように構成された本体部２と、左右一対の肩ストラップ部３と、着用者のバストを覆うカップ体４とを備えている。
【００１５】
本体部２は、例えば端始末不要の伸縮性を有する生地によって形成されている。このような生地としては、例えばベアスムースなどが挙げられる。本体部２の正面側は、着用者のバストを覆うバスト部５となっている（図１参照）。また、本体部２の背面側は、着用者の背部の上側を覆う背部上部６となっている（図２参照）。バスト部５と背部上部６とは、本体部２の両脇で連続し、着用者の胸周りを包囲するように筒状をなしている。
【００１６】
バスト部５の上縁部５ａ及び背部上部６の上縁部６ａは、上半身衣類１の首刳りに相当し、いずれも下方に向かって緩やかな凹状をなしている。バスト部５の下縁部５ｂ及び背部上部６の下縁部６ｂは、上半身衣類１の裾に相当し、横方向に延びる直線状となっている。バスト部５の左右の脇側上部５ｃ，５ｃ及び背部上部６の左右の脇側上部６ｃ，６ｃは、上半身衣類１の袖刳りに相当し、いずれも中心側に向かって緩やかな凹状をなしている。バスト部５の左右の脇側下部５ｄ，５ｄ及び背部上部６の左右の脇側下部６ｄ，６ｄは、上半身衣類１の脇裾に相当し、下方に向かって本体部２の身幅が小さくなるように垂下する直線状をなしている。
【００１７】
肩ストラップ部３は、バスト部５の上縁部５ａと背部上部６の上縁部６ａとを繋ぐように帯状に設けられている。本実施形態では、肩ストラップ部３は、例えば本体部２と同じ端始末不要の伸縮性を有する生地によって、本体部２と一体に形成されている。肩ストラップ部３は、着用時に着用者の両肩にそれぞれ正面から背面にかけて掛け渡され、上半身衣類１の装着をサポートする。
【００１８】
カップ体４は、バストの整形や着用者の乳頭が透けてしまうことの防止などを目的としてバスト部５に配置されている。カップ体４は、図３に示すように、左右一対のカップ１１，１１と、カップ１１，１１を前中心側で連結する連結部１２とを有している。本実施形態では、カップ１１，１１及び連結部１２は、例えばウレタンなどの弾性材料を用いたモールド成型による一体成型品となっている。
【００１９】
カップ１１は、全体として着用者のバスト形状に対応する椀形状をなしており、正面視においては円に近い形状を有している。連結部１２は、左右のカップ１１，１１に対して上下に括れた形状をなしている。すなわち、連結部１２の上縁部１２ａは下方に向かって湾曲し、連結部１２の下縁部１２ｂは、上方に向かって湾曲している。カップ体４が着用者のバストのバージスラインに沿い易くなるように、下縁部１２ｂの湾曲度は、上縁部１２ａの湾曲度よりも大きくなっている。なお、下縁部１２ｂの湾曲度は、上縁部１２ａの湾曲度よりも小さくなっていてもよい。
【００２０】
続いて、上述したバスト部５の構成について更に詳細に説明する。
【００２１】
図４は、図１に示した上半身衣類を裏返して示す正面図である。同図に示すように、上半身衣類１では、バスト部５の裏側（肌側）に裏当部１３が結合されている。この裏当部１３の結合により、バスト部５の裏側には、カップ体４を収容する収容ポケットＳが形成されている。収容ポケットＳの形成にあたり、バスト部５と裏当部１３との結合後に熱成型加工が施されている。これにより、バスト部５において生地の立体感を造形でき、カップ体４の膨らみに対応した収容ポケットＳを構成できる。バスト部５及び裏当部１３の伸縮性、伸長回復性などの素材特性により、バスト部５及び裏当部１３のそれぞれに熱成型加工を施すか否かを選定することが好ましい。これにより、バスト部５の着圧が適切に調整され、バストの安定感が高められる。
【００２２】
裏当部１３は、例えば本体部２と同じ端始末不要の伸縮性を有する生地によって形成されている。裏当部１３の上縁部１３ａは、バスト部５の上縁部５ａの湾曲形状に沿うように、下方に向かって緩やかな凹状をなしている。裏当部１３の上縁部１３ａの両脇部分には、肩ストラップ部３の本体部２側の端部と同程度の幅で上方に張り出す張出部１４がそれぞれ設けられている。張出部１４は、肩ストラップ部３の端部に重ね合され、肩ストラップ部３の伸びが過剰になることを抑制する。裏当部１３の下縁部１３ｂは、カップ体４の下縁部分の形状に対応した湾曲形状をなしている。
【００２３】
裏当部１３の下縁部１３ｂの中央部分は、連結部１２の下縁部１２ｂの湾曲形状に応じて上方に向かって湾曲している。この裏当部１３の下縁部１３ｂの中央部分の湾曲度は、連結部１２の下縁部１２ｂの湾曲度よりも小さく、例えば連結部１２の上縁部１２ａの湾曲度と同程度となっている。なお、裏当部１３の下縁部１３ｂは、直線状であってもよい。裏当部１３の左右の脇側上部１３ｃ，１３ｃは、バスト部５の左右の脇側上部５ｃ，５ｃの湾曲形状に沿った湾曲形状をなしている。また、裏当部１３の左右の脇側下部１３ｄ，１３ｄは、バスト部５の脇側下部５ｄ，５ｄの上側に沿った略直線状をなしている。
【００２４】
裏当部１３の前中心部分には、上下方向に延びる開口部１５が形成されている。開口部１５は、収容ポケットＳに対してカップ体４を着脱するための部分である。開口部１５は、例えば裏当部１３の中央部分に直線状の切り込みを入れることによりスリット状に形成される。裏当部１３に伸縮性を有する生地を用いている場合には、直線状の切り込みを入れることで、上下端が尖った略楕円形状の開口部１５が形成される。開口部１５の上下方向の長さＸは、カップ体４の連結部１２の上下幅（最小幅）Ｙよりも大きく、かつカップ１１の上下幅Ｚよりも小さくなっている（図３及び図４参照）。連結部１２の上下幅Ｙ及びカップ１１の上下幅Ｚは、例えばカップ体４を平面に載置したときの平面視における幅を基準とすればよい。
【００２５】
カップ体４を収容ポケットＳに収容する場合、例えば開口部１５の長さＸよりも短い幅となるようにカップ体４を折り畳み、折り畳んだ状態のカップ体４の両端部を順次開口部１５に通してカップ体４を収容ポケットＳ内に挿入すればよい。また、カップ体４を収容ポケットＳから取り外す場合、例えば開口部１５越しに連結部１２を把持し、そのまま開口部１５からカップ体４を引き抜くようにすればよい。
【００２６】
また、裏当部１３は、図４に示すように、結合ラインＬにおいてバスト部５の裏側に結合されている。本実施形態では、結合ラインＬは、裏当部１３の各縁部に沿う第１の結合ラインＬ１と、開口部１５の上側に延在する第２の結合ラインＬ２と、開口部１５の下側に延在する第３の結合ラインＬ３とによって構成されている。
【００２７】
第２の結合ラインＬ２は、全体として下方に向かって緩やかに湾曲し、裏当部１３の左右の脇側上部１３ｃ，１３ｃの略中間部分同士を結ぶように延在している。一方、第３の結合ラインＬ３は、第２の結合ラインＬ２よりも大きい湾曲度で全体として上方に向かって湾曲し、裏当部１３の下縁部１３ｂの左右の最下点同士を結ぶように延在している。したがって、第２の結合ラインＬ２の中央部分は、開口部１５の上端部１５ａに向かって突出する突出部分Ｌ２ａとなっており、第３の結合ラインＬ３の中央部分は、開口部１５の下端部１５ｂに向かって突出する突出部分Ｌ３ａとなっている。
【００２８】
本実施形態では、開口部１５の上端部１５ａは、突出部分Ｌ２ａの先端に接しており、開口部１５の下端部１５ｂは、突出部分Ｌ３ａの先端に接している。この構成に限られず、開口部１５の上端部１５ａは、突出部分Ｌ２ａのライン上に重なっていてもよく、突出部分Ｌ２ａから僅かに離間していてもよい。同様に、開口部１５の下端部１５ｂは、突出部分Ｌ３ａのライン上に重なっていてもよく、突出部分Ｌ３ａから僅かに離間していてもよい。
【００２９】
本体部２と裏当部１３とは、結合ラインＬに沿って点在する接着部Ｐによって互いに結合されている。接着部Ｐを形成する接着剤としては、例えば乾燥硬化型、湿気硬化型、或いは反応硬化型の接着剤が用いられる。
【００３０】
接着部Ｐは、例えば図５に示すように、正面視において円形状をなしており、結合ラインＬの領域内で千鳥状或いは格子状に点在している。また、接着部Ｐのうち、突出部分Ｌ２ａ，Ｌ３ａに位置する接着部Ｐの少なくとも一つは、開口部１５の長手方向に交差する方向に延在した形状となっている。本実施形態では、突出部分Ｌ２ａにおいて開口部１５の上端部１５ａに最も近接している接着部Ｐａと、突出部分Ｌ３ａにおいて開口部１５の下端部１５ｂに最も近接している接着部Ｐｂとが、開口部１５の長手方向に直交する方向を長軸とする略楕円形状となっている。
【００３１】
以上説明したように、上半身衣類１では、左右一対のカップ１１，１１が前中心側の連結部１２によって連結された一体成型のカップ体４が用いられている。また、カップ体４が収容される収容ポケットＳを構成する裏当部１３には、前中心部分において上下方向に延びる開口部１５が設けられている。この開口部１５により、収容ポケットＳに対するカップ体４の着脱が容易となる。
【００３２】
また、上方に開口する収容ポケットを採用する場合とは異なり、収容ポケットＳに収容されたカップ体４の位置ずれや回転を防ぐことが可能となる。したがって、着用後にカップ体４の位置を手直しする必要もなく、着脱自在のカップ体４を着用者のバストに対して安定して密着させることができる。前中心部分に開口部１５が設けられていることで、バスト部５の通気性の向上も図られる。
【００３３】
また、本実施形態では、開口部１５の上下方向の長さＸが、カップ体４の連結部１２の上下幅Ｙよりも大きく、かつカップ１１の上下幅Ｚよりも小さくなっている。これにより、収容ポケットＳに対するカップ体４の着脱容易性と、収容ポケットＳ内でのカップ体４の安定性とを好適に両立できる。
【００３４】
また、本実施形態では、第２の結合ラインＬ２の中央部分が開口部１５の上端部１５ａに向かって突出する突出部分Ｌ２ａとなっており、第３の結合ラインＬ３の中央部分が開口部１５の下端部１５ｂに向かって突出する突出部分Ｌ３ａとなっている。開口部１５は、カップ体４の着脱の際などに力がかかり易い部分である。これに対し、開口部１５の上端部１５ａ及び下端部１５ｂに本体部２と裏当部１３との結合ラインＬを近接させることにより、開口部１５付近の裏当部１３の耐久性を高めることができる。
【００３５】
また、本実施形態では、本体部２と裏当部１３とは、結合ラインＬに沿って点在する接着部Ｐによって互いに結合されている。そして、接着部Ｐのうち、突出部分Ｌ２ａ，Ｌ３ａに位置する接着部Ｐの少なくとも一つが開口部１５の長手方向に交差する方向に延在した形状となっている。これにより、開口部１５付近での本体部２と裏当部１３との結合強度が十分に確保され、開口部１５付近の耐久性を更に高めることができる。
【００３６】
本発明は、上記実施形態に限られるものではない。例えば上記実施形態では、本体部２と裏当部１３とは、接着剤の硬化物である接着部Ｐによって結合されているが、本体部２と裏当部１３との結合方法はこれに限られず、縫着等の他の方法を用いてもよい。
【００３７】
また、上記実施形態では、上下端が尖った略楕円形状の開口部１５を例示したが、開口部１５の形状はこれに限られるものではない。例えば図６（ａ）に示すように、長方形状の開口部１５Ａであってもよく、図６（ｂ）に示すように、菱形状の開口部１５Ｂであってもよい。
【００３８】
さらに、例えば図７（ａ）に示すように、長円状の開口部１５Ｃであってもよい。この開口部１５Ｃでは、中央部分が長方形状をなし、両端部が略半円形状となっている。また、図７（ｂ）に示すように、裏当部１３を左右の分割部材１３Ａ，１３Ｂによって構成し、分割部材１３Ａ，１３Ｂの前中心側部分の一部同士を重ね合わせ、重ね合わせ部分の端部を互いに結合させることによって開口部１５Ｄを構成してもよい。この場合、収容ポケットＳに収容したカップ体４が開口部１５Ｄから視認されないため、バスト部５の裏側の美観を向上できる。
【００３９】
また、図８に示すように、裏当部１３の前中心部分に複数本の開口部１５を設けるようにしてもよい。図８の例では、裏当部１３の前中心部分に２本の開口部１５が平行に設けられている。開口部１５，１５は、いずれも上下端が尖った略楕円形状をなしており、連結部１２の長さ（左右のカップ１１，１１を結ぶ方向の長さ）よりも小さい間隔で、前中心を挟んで対称に設けられている。
【００４０】
この構成においてカップ体４を収容ポケットＳに収容する場合、例えば左のカップ１１を左の開口部１５から収容ポケットＳ内に挿入し、右のカップ１１を右の開口部１５から収容ポケットＳ内に挿入する。そして、連結部１２の中央部分は、開口部１５，１５間において裏当部１３の裏側（肌側）に露出させておく。こうすると、カップ体４を収容ポケットＳから取り外す場合に、開口部１５，１５間に露出している連結部１２を簡単に把持できるので、カップ体４の取り外しが非常に簡便なものとなる。
【００４１】
また、肩ストラップ部の構成も上記実施形態に限られない。例えば首刳りの端始末であるパイピングと、袖刳りの端始末であるパイピングとを結合して肩ストラップ部を構成してもよい。また、肩ストラップ部を有しない本体部の上縁に別のテープ部材を結合して肩ストラップ部を構成してもよい。肩ストラップ部の接続先であるバスト部の上縁部及び背部上部の上縁部は、横方向（水平方向）に一直線状としてもよい。肩ストラップ部は、必ずしも設けなくともよい。上半身衣類１の裾に相当するバスト部５の下縁部５ｂ及び背部上部６の下縁部６ｂは、湾曲状や波線状であってもよい。また、袖刳り及び首刳りは、波線状であってもよい。
【００４２】
上記実施形態では、上半身衣類としてハーフトップを例示したが、本発明を適用する上半身衣類としては、ハーフトップのほか、キャミソール、タンクトップなどが挙げられる。
【符号の説明】
【００４３】
１…上半身衣類、２…本体部、４…カップ体、５…バスト部、１１…カップ、１２…連結部、１３…裏当部、１５，１５Ａ〜１５Ｄ…開口部、１５ａ…上端部、１５ｂ…下端部、Ｌ（Ｌ１〜Ｌ３）…結合ライン、Ｌ２ａ，Ｌ３ａ…突出部分、Ｐ，Ｐａ，Ｐｂ…接着部、Ｓ…収容ポケット、Ｘ…開口部の上下方向の長さ、Ｙ…連結部の上下幅、Ｚ…カップの上下幅。
【図１】
0006402743.tif 000002
【図２】
0006402743.tif 000003
【図３】
0006402743.tif 000004
【図４】
0006402743.tif 000005
【図５】
0006402743.tif 000006
【図６】
0006402743.tif 000007
【図７】
0006402743.tif 000008
【図８】
0006402743.tif 000009